(57)【要約】【課題】  品質問題の原因を容易に把握しやすい通信品質測定システムなどを提供する。【解決手段】  通信品質測定システムは、車両に搭載され、２以上の通信端末（４１、４２、４３）が着脱可能な状態で接続され、２以上の通信端末に電力を供給する電力供給装置３０を備える。２以上の通信端末と通信を行い、所定の音声情報を２以上の通信端末に発信する、若しくは所定のデータを２以上の通信端末に送信する情報発信装置１０を備える。２以上の通信端末のそれぞれ、若しくは電力供給装置３０は、情報発信装置１０から２以上の通信端末のそれぞれに送信された所定の音声情報若しくは所定のデータを記録し、２以上の通信端末から情報発信装置１０への同時発呼、情報発信装置１０から２以上の通信端末への同時発呼、２以上の通信端末から情報発信装置１０への同時アクセスのいずれかが行われた後に、所定の音声情報の発信若しくは所定のデータの送信が行われる。【選択図】図１
2016025402.tif 000002
【特許請求の範囲】
【請求項１】
車両に搭載され、２以上の通信端末が着脱可能な状態で接続され、前記２以上の通信端末に電力を供給する電力供給装置と、
前記２以上の通信端末と通信を行い、所定の音声情報を前記２以上の通信端末に発信する、若しくは所定のデータを前記２以上の通信端末に送信する情報発信装置とを備え、
前記２以上の通信端末のそれぞれ、若しくは前記電力供給装置は、前記情報発信装置から前記２以上の通信端末のそれぞれに送信された前記所定の音声情報若しくは前記所定のデータを記録し、
前記２以上の通信端末から前記情報発信装置への同時発呼、前記情報発信装置から前記２以上の通信端末への同時発呼、前記２以上の通信端末から前記情報発信装置への同時アクセスのいずれかが行われた後に、前記所定の音声情報の発信若しくは前記所定のデータの送信が行われることを特徴とする通信品質測定システム。
【請求項２】
前記情報発信装置は、自動発呼装置で構成され、
前記２以上の通信端末のそれぞれ、若しくは前記電力供給装置は、前記情報発信装置から前記２以上の通信端末のそれぞれに送信された前記所定の音声情報を記録し、
前記情報発信装置から前記２以上の通信端末への同時発呼が行われた後に、前記所定の音声情報の発信が行われることを特徴とする請求項１に記載の通信品質測定システム。
【請求項３】
前記車両の位置情報と速度情報の少なくとも一方に基づき、前記情報発信装置から前記２以上の通信端末への同時発呼の時期が決定されることを特徴とする請求項２に記載の通信品質測定システム。
【請求項４】
前記情報発信装置は、ＩＶＲで構成され、
前記２以上の通信端末のそれぞれ、若しくは前記電力供給装置は、前記情報発信装置から前記２以上の通信端末のそれぞれに発信された前記所定の音声情報を記録し、
前記２以上の通信端末から前記情報発信装置への同時発呼が行われた後に、前記所定の音声情報の発信が行われることを特徴とする請求項１に記載の通信品質測定システム。
【請求項５】
前記車両の位置情報と速度情報の少なくとも一方に基づき、前記２以上の通信端末から前記情報発信装置への同時発呼の時期が決定されることを特徴とする請求項４に記載の通信品質測定システム。
【請求項６】
前記情報発信装置は、前記所定のデータを発信するデータ送信サーバーで構成され、
前記２以上の通信端末のそれぞれ、若しくは前記電力供給装置は、前記情報発信装置から前記２以上の通信端末のそれぞれに送信された前記所定のデータを記録し、
前記２以上の通信端末から前記情報発信装置への同時アクセスが行われた後に、前記所定のデータの送信が行われることを特徴とする請求項１に記載の通信品質測定システム。
【請求項７】
前記車両の位置情報と速度情報の少なくとも一方に基づき、前記２以上の通信端末から前記情報発信装置への同時アクセスの時期が決定されることを特徴とする請求項６に記載の通信品質測定システム。
【請求項８】
車両に搭載された電力供給装置に着脱可能な状態で接続された２以上の通信端末のそれぞれにインストールされ、
前記２以上の通信端末のそれぞれから、ＩＶＲで構成された情報発信装置へ同時に発呼し、前記情報発信装置の応答後に、前記情報発信装置から発信される所定の音声情報を、前記２以上の通信端末のそれぞれ若しくは前記電力供給装置に記録することを特徴とする記録プログラム。
【請求項９】
前記車両の位置情報と速度情報の少なくとも一方に基づき、前記２以上の通信端末のそれぞれから、前記情報発信装置への同時発呼を行う時期が決定されることを特徴とする請求項８に記載の記録プログラム。
【請求項１０】
車両に搭載され、２以上の通信端末が着脱可能な状態で接続され、前記２以上の通信端末に電力を供給する電力供給装置であって、
前記２以上の通信端末のそれぞれから、ＩＶＲで構成された情報発信装置へ同時に発呼させ、前記情報発信装置の応答後に、前記情報発信装置から発信される所定の音声情報を記録させる、若しくは前記電力供給装置に記録することを特徴とする電力供給装置。
【請求項１１】
前記車両の位置情報と速度情報の少なくとも一方に基づき、前記２以上の通信端末のそれぞれから、前記情報発信装置への同時発呼を行う時期を決定することを特徴とする請求項１０に記載の電力供給装置。
【発明の詳細な説明】
【技術分野】
【０００１】
本発明は、通信端末の品質を測定するシステム、プログラム、装置に関する。
【背景技術】
【０００２】
特許文献１などで、通信ネットワークの品質状況を把握するシステムなどが提案されている。
【先行技術文献】
【特許文献】
【０００３】
【特許文献１】特開２００８−１０９５７１号公報
【発明の概要】
【発明が解決しようとする課題】
【０００４】
しかしながら、品質の問題の原因が、通信端末に由来するものか、通信ネットワークに由来するものかが分かりにくい。
【０００５】
したがって本発明の目的は、品質問題の原因を容易に把握しやすい通信品質測定システムなどを提供することである。
【課題を解決するための手段】
【０００６】
本発明に係る通信品質測定システムは、車両に搭載され、２以上の通信端末が着脱可能な状態で接続され、２以上の通信端末に電力を供給する電力供給装置と、２以上の通信端末と通信を行い、所定の音声情報を２以上の通信端末に発信する、若しくは所定のデータを２以上の通信端末に送信する情報発信装置とを備え、２以上の通信端末のそれぞれ、若しくは電力供給装置は、情報発信装置から２以上の通信端末のそれぞれに送信された所定の音声情報若しくは所定のデータを記録し、２以上の通信端末から情報発信装置への同時発呼、情報発信装置から２以上の通信端末への同時発呼、２以上の通信端末から情報発信装置への同時アクセスのいずれかが行われた後に、所定の音声情報の発信若しくは所定のデータの送信が行われる。
【０００７】
複数の通信端末への発呼などが、同時に行われるので、時間的に同じ条件で品質測定結果を得ることが出来る。
【０００８】
時間的に同じ条件の品質測定結果が得られるため、通信端末由来の問題、通信ネットワーク由来の問題など、品質問題の原因を容易に把握しやすい
【０００９】
たとえば、同じ機種で、通信キャリアが異なるものを複数の通信端末として選んだ場合には、品質測定結果の差は、通信キャリアごとにおける、情報発信装置から通信端末に至る通信ネットワークの差に起因すると予想することが出来る。
【００１０】
また、同じ通信キャリアで、異なる機種を複数の通信端末として選んだ場合には、品質測定結果の差は、機種ごとの通信性能などの差に起因すると予想することが出来る。
【００１１】
好ましくは、情報発信装置は、自動発呼装置で構成され、２以上の通信端末のそれぞれ、若しくは電力供給装置は、情報発信装置から２以上の通信端末のそれぞれに送信された所定の音声情報を記録し、情報発信装置から２以上の通信端末への同時発呼が行われた後に、所定の音声情報の発信が行われる。
【００１２】
さらに好ましくは、車両の位置情報と速度情報の少なくとも一方に基づき、情報発信装置から２以上の通信端末への同時発呼の時期が決定される。
【００１３】
所望の領域若しくは所望の移動状態における品質測定結果を得ることが可能になる。
【００１４】
また、好ましくは、情報発信装置は、ＩＶＲで構成され、２以上の通信端末のそれぞれ、若しくは電力供給装置は、情報発信装置から２以上の通信端末のそれぞれに発信された所定の音声情報を記録し、２以上の通信端末から情報発信装置への同時発呼が行われた後に、所定の音声情報の発信が行われる。
【００１５】
さらに好ましくは、車両の位置情報と速度情報の少なくとも一方に基づき、２以上の通信端末から情報発信装置への同時発呼の時期が決定される。
【００１６】
また、好ましくは、情報発信装置は、所定のデータを発信するデータ送信サーバーで構成され、２以上の通信端末のそれぞれ、若しくは電力供給装置は、情報発信装置から２以上の通信端末のそれぞれに送信された所定のデータを記録し、２以上の通信端末から情報発信装置への同時アクセスが行われた後に、所定のデータの送信が行われる。
【００１７】
さらに好ましくは、車両の位置情報と速度情報の少なくとも一方に基づき、２以上の通信端末から情報発信装置への同時アクセスの時期が決定される。
【００１８】
本発明に係る記録プログラムは、車両に搭載された電力供給装置に着脱可能な状態で接続された２以上の通信端末のそれぞれにインストールされ、２以上の通信端末のそれぞれから、ＩＶＲで構成された情報発信装置へ同時に発呼し、情報発信装置の応答後に、情報発信装置から発信される所定の音声情報を、２以上の通信端末のそれぞれ若しくは電力供給装置に記録する。
【００１９】
好ましくは、車両の位置情報と速度情報の少なくとも一方に基づき、２以上の通信端末のそれぞれから、情報発信装置への同時発呼を行う時期が決定される。
【００２０】
本発明に係る電力供給装置は、車両に搭載され、２以上の通信端末が着脱可能な状態で接続され、前記２以上の通信端末に電力を供給する電力供給装置であって、
前記２以上の通信端末のそれぞれから、ＩＶＲで構成された情報発信装置へ同時に発呼させ、前記情報発信装置の応答後に、前記情報発信装置から発信される所定の音声情報を記録させる、若しくは前記電力供給装置に記録することを特徴とする電力供給装置。
【００２１】
好ましくは、車両の位置情報と速度情報の少なくとも一方に基づき、２以上の通信端末のそれぞれから、情報発信装置への同時発呼を行う時期を決定する。
【発明の効果】
【００２２】
以上のように本発明によれば、品質問題の原因を容易に把握しやすい通信品質測定システムなどを提供することができる。
【図面の簡単な説明】
【００２３】
【図１】本実施形態における通信品質測定システムの構成図である。
【図２】通信端末のそれぞれにおいて、一定時間ごとに、若しくは所定の時刻に、自動発呼装置で構成された情報発信装置から、所定の音声情報を受信する手順を示すフローチャートである。
【図３】通信端末のそれぞれにおいて、所定領域に入ったときに、自動発呼装置で構成された情報発信装置から、所定の音声情報を受信する手順を示すフローチャートである。
【図４】一定時間ごとに、若しくは所定の時刻に、複数の通信端末から、ＩＶＲで構成された情報発信装置へ発呼される手順を示すフローチャートである。
【図５】所定領域に入ったときに、複数の通信端末から、ＩＶＲで構成された情報発信装置へ発呼される手順を示すフローチャートである。
【図６】一定時間ごとに、若しくは所定の時刻に、若しくは所定領域に入ったときに、複数の通信端末から、データ送信サーバーで構成された情報発信装置へアクセスされる手順を示すフローチャートである。
【発明を実施するための形態】
【００２４】
以下、本実施形態について、図を用いて説明する。本実施形態における通信品質測定システム１は、情報発信装置１０、電力供給装置３０、サーバー５０を備える（図１参照）。
【００２５】
情報発信装置１０は、自動発呼装置で構成され、電力供給装置３０に接続された複数の通信端末（第１端末４１、第２端末４２、第３端末４３）に対して同時に発呼し、応答後に所定の音声情報を発信する。
【００２６】
電力供給装置３０は、車両に搭載され、複数の通信端末（第１端末４１、第２端末４２、第３端末４３）が着脱可能な状態で電気的に接続され、且つこれらが載置され、若しくはこれらを保持する。
【００２７】
また、電力供給装置３０は、当該車両のバッテリー、若しくは、当該車両に設けられたソーラーパネルなどの発電装置と接続し、複数の通信端末（第１端末４１、第２端末４２、第３端末４３）に電力を供給する。車両のバッテリーなど定常的に電力を供給することが出来る装置と接続されているため、通信端末（第１端末４１、第２端末４２、第３端末４３）のバッテリー残量を気にせずに、後述する記録プログラムなどを実行させることが出来る。
【００２８】
通信端末（第１端末４１、第２端末４２、第３端末４３）のそれぞれには、情報発信装置１０からの発呼に対する着呼に応答し、応答後に情報発信装置１０から発信される所定の音声情報を記録し、通話時などの無線品質や通信品質や位置情報を記録する（図２のステップＳ１３〜Ｓ１５参照）記録プログラムと、当該記録プログラムの実行で得られた情報をサーバー５０にアップロードする（図２のステップＳ１６参照）情報送信プログラムとがインストールされている。
【００２９】
すなわち、通信端末（第１端末４１、第２端末４２、第３端末４３）のそれぞれは、図２のフローチャートに示すように、記録プログラムと情報送信プログラムとを実行する。
【００３０】
ただし、電力供給装置３０に、当該記録プログラムや情報送信プログラムがインストールされ、電力供給装置３０に接続された通信端末（第１端末４１、第２端末４２、第３端末４３）のそれぞれを制御する形態であってもよい。
【００３１】
また、音声情報などは、通信端末（第１端末４１、第２端末４２、第３端末４３）のそれぞれの記録部に記録される形態であってもよいし、電力供給装置３０に設けられた記録部に記録される形態であってもよい。
【００３２】
測定項目で挙げられた無線品質としては、受信信号強度（ＲＳＳＩ: Received Signal Strength Indicator）、信号対干渉比（ＳＩＲ: Signal to Interference Ratio）などが考えられる。
【００３３】
測定項目で挙げられた通信品質としては、通信回数、通信成功（又は失敗）回数、などが考えられる。
【００３４】
測定項目で挙げられた位置情報としては、緯度経度情報、測位日時、測位精度、測位手段（ＧＰＳ測位、複数基地局測位、セルベース測位など）が考えられる。
【００３５】
情報発信装置１０が自動発呼装置で構成される場合、所定の音声情報の発信動作は、一定時間ごとに、若しくは所定の時刻に、情報発信装置１０から複数の通信端末（第１端末４１、第２端末４２、第３端末４３）への発呼が同時に行われることで開始される。
【００３６】
記録プログラムの実行で音声情報の記録などが行われるたびに、情報送信プログラム（サーバー５０への情報送信）が実行される形態であってもよいが、複数回音声情報の記録などが行われた後に、複数回分の情報をまとめて送信する形態であってもよい。
【００３７】
また、通信端末（第１端末４１、第２端末４２、第３端末４３）のそれぞれで収集された音声情報などは、情報送信プログラムを実行せずに、通信端末（第１端末４１、第２端末４２、第３端末４３）のそれぞれを、サーバー５０の近くに持ち込み、サーバー５０に直接接続する、若しくは記録媒体を介して、データ転送する形態であってもよい。
【００３８】
記録プログラムが実行されることで、通信端末（第１端末４１、第２端末４２、第３端末４３）それぞれについて、情報発信装置１０からの所定の音声情報などを収集することが出来る。
【００３９】
記録プログラムで記録された所定の音声情報は、情報発信装置１０から発信される前の元の音声情報と比較分析される。
【００４０】
複数の通信端末（第１端末４１、第２端末４２、第３端末４３）への発呼は、同時に行われるので、時間的に同じ条件で品質測定結果を得ることが出来る。
【００４１】
時間的に同じ条件の品質測定結果が得られるため、通信端末由来の問題、通信ネットワーク由来の問題など、品質問題の原因を容易に把握しやすい
【００４２】
たとえば、同じ機種で、通信キャリアが異なるものを複数の通信端末として選んだ場合には、品質測定結果の差は、通信キャリアごとにおける、情報発信装置１０から通信端末に至る通信ネットワークの差に起因すると予想することが出来る。
【００４３】
また、同じ通信キャリアで、異なる機種を複数の通信端末として選んだ場合には、品質測定結果の差は、機種ごとの通信性能などの差に起因すると予想することが出来る。
【００４４】
情報送信プログラムが実行されることで、記録プログラムで収集した情報を、サーバー５０に送信し、サーバー５０で、測定地域ごとの品質測定結果をまとめることが出来る。
【００４５】
特に、複数の車両のそれぞれに電力供給装置３０や、複数の通信端末（第１端末４１、第２端末４２、第３端末４３）を用意すれば、短期間に多くの場所での通信品質測定に必要な情報を収集することが出来る。
【００４６】
なお、時間情報に基づいて、すなわち、一定時間ごとに、若しくは所定の時刻に、情報発信装置１０から複数の通信端末（第１端末４１、第２端末４２、第３端末４３）への発呼が同時に行われ、所定の音声情報の発信動作が開始される形態には限られない。
【００４７】
たとえば、複数の通信端末（第１端末４１、第２端末４２、第３端末４３）、電力供給装置３０、若しくは電力供給装置３０が搭載された車両に設けられたＧＰＳなどの位置情報取得装置を使って、当該車両の位置情報を取得し、当該位置情報が、所定の領域に入ったか否かを判断し（図３のステップＳ２１参照））、当該所定の領域に入ったと判断した時に、複数の通信端末（第１端末４１、第２端末４２、第３端末４３）のいずれかが情報発信装置１０に通知し（図３のステップＳ２２参照）、当該通知を受けた後に、情報発信装置１０から複数の通信端末（第１端末４１、第２端末４２、第３端末４３）への発呼が同時に行われる形態が考えられる。
【００４８】
情報発信装置１０から複数の通信端末（第１端末４１、第２端末４２、第３端末４３）への同時発呼が行われた後の手順（図３のステップＳ２３〜Ｓ２６）は、図２のステップＳ１３〜ステップＳ１６と同様である。
【００４９】
この場合、所望の領域における品質測定結果を得ることが可能になる。
【００５０】
また、情報発信装置１０は、自動発呼装置に代えて、ＩＶＲ(Interactive Voice Response)で構成され、電力供給装置３０に接続された複数の通信端末（第１端末４１、第２端末４２、第３端末４３）が同時に発呼し、当該発呼に対する着呼に応答して、所定の音声情報を発信する形態であってもよい。
【００５１】
情報発信装置１０がＩＶＲで構成される場合、所定の音声情報の発信動作は、一定時間ごとに、若しくは所定に時刻に、複数の通信端末（第１端末４１、第２端末４２、第３端末４３）から情報発信装置１０への発呼が同時に行われることで、その発呼に対する着呼の応答後に、開始される（図４のステップＳ３１、Ｓ３２参照）。
【００５２】
すなわち、情報発信装置１０がＩＶＲで構成される場合、通信端末（第１端末４１、第２端末４２、第３端末４３）のそれぞれには、情報発信装置１０へ同時に発呼し、当該発呼に対する着呼に情報発信装置１０が応答し、応答後に発信される所定の音声情報を記録し、通話時などの無線品質や通信品質や位置情報を記録する（図４のステップＳ３１〜Ｓ３４参照）記録プログラムと、当該記録プログラムの実行で得られた情報をサーバー５０にアップロードする（図４のステップＳ３５参照）情報送信プログラムとがインストールされる。
する。
【００５３】
この場合も、電力供給装置３０に、当該記録プログラムや情報送信プログラムがインストールされ、電力供給装置３０に接続された通信端末（第１端末４１、第２端末４２、第３端末４３）のそれぞれを制御する形態であってもよい。
【００５４】
発呼タイミングを合わせるために、ＮＴＰ（Network Time Protocol）などを使って、複数の通信端末（第１端末４１、第２端末４２、第３端末４３）のそれぞれについて時刻を合わせておくのが望ましい。
【００５５】
発呼に対する着呼に応答して情報発信装置１０が所定の音声情報を発信し、発呼した複数の通信端末（第１端末４１、第２端末４２、第３端末４３）は、それぞれで、当該所定の音声情報を記録したり、通話時などの無線品質や通信品質や位置情報を記録したりする（図４のステップＳ３３、Ｓ３４参照）。
【００５６】
記録した音声情報などは、通信端末（第１端末４１、第２端末４２、第３端末４３）のそれぞれ若しくは電力供給装置３０に記録され、情報送信プログラムで、サーバー５０にアップロードされる（図４のステップＳ３５参照）。
【００５７】
ただし、この場合も、時間情報に基づいて、すなわち、一定時間ごとに、若しくは所定の時刻に、複数の通信端末（第１端末４１、第２端末４２、第３端末４３）から情報発信装置１０への発呼が同時に行われ、所定の音声情報の発信動作が開始される形態には限られない。
【００５８】
たとえば、複数の通信端末（第１端末４１、第２端末４２、第３端末４３）、電力供給装置３０、若しくは電力供給装置３０が搭載された車両に設けられたＧＰＳなどの位置情報取得装置を使って、当該車両の位置情報を取得し、当該位置情報が、所定の領域に入ったか否かを判断し（図５のステップＳ４１参照））、当該所定の領域に入ったと判断した時に、複数の通信端末（第１端末４１、第２端末４２、第３端末４３）から情報発信装置１０への発呼が同時に行われる（図５のステップＳ４２参照）形態が考えられる。
【００５９】
なお、発呼タイミングを合わせるために、位置情報取得した装置（例えば、第１端末４１）が、電力供給装置３０に、当該位置情報が所定の領域に入ったと判断されたことを通知し、電力供給装置３０を介して、他の端末（第２端末４２、第３端末４３）と同時に発呼を行う制御が行われるのが望ましい。
【００６０】
複数の通信端末（第１端末４１、第２端末４２、第３端末４３）から情報発信装置１０への同時発呼が行われた後の手順（図５のステップＳ４３〜Ｓ４５）は、図４のステップＳ３３〜ステップＳ３５と同様である。
【００６１】
複数の通信端末（第１端末４１、第２端末４２、第３端末４３）からの発呼は、同時に行われるので、時間的に同じ条件で品質測定結果を得ることが出来る。
【００６２】
また、情報発信装置１０が、通信端末で記録する所定の音声情報を発する機器（自動発呼装置やＩＶＲ）で構成される形態を説明したが、通信端末でダウンロードする所定のデータを発する機器（データ送信サーバー）で構成される形態であってもよい。
【００６３】
情報発信装置１０がデータ送信サーバーで構成される場合、所定のデータの送信動作は、一定時間ごとに、若しくは所定に時刻に、複数の通信端末（第１端末４１、第２端末４２、第３端末４３）から情報発信装置１０へのデータアクセスが同時に行われることで開始される（図６のステップＳ５１参照）。
【００６４】
ただし、この場合も、時間情報に基づいて、すなわち、一定時間ごとに、若しくは所定の時刻に、複数の通信端末（第１端末４１、第２端末４２、第３端末４３）から情報発信装置１０へのアクセスが同時に行われ、所定のデータの送信動作が開始される形態には限られない。
【００６５】
たとえば、複数の通信端末（第１端末４１、第２端末４２、第３端末４３）、電力供給装置３０、若しくは電力供給装置３０が搭載された車両に設けられたＧＰＳなどの位置情報取得装置を使って、当該車両の位置情報を取得し、当該位置情報が、所定の領域に入った時に、複数の通信端末（第１端末４１、第２端末４２、第３端末４３）から情報発信装置１０へのアクセスが同時に行われる形態が考えられる。
【００６６】
電力供給装置３０に接続された通信端末（第１端末４１、第２端末４２、第３端末４３）が同時に情報発信装置１０にアクセスし（図６のステップＳ５２参照）、当該アクセスに応答して、情報発信装置１０が複数の通信端末（第１端末４１、第２端末４２、第３端末４３）に対して、所定のデータを送信し、これを通信端末がダウンロードする（図６のステップＳ５３参照）。
【００６７】
ダウンロードしたデータなどは、通信端末（第１端末４１、第２端末４２、第３端末４３）のそれぞれ若しくは電力供給装置３０に記録され、その後、情報送信プログラムで、サーバー５０にアップロードされる（図６のステップＳ５４参照）。
【００６８】
記録プログラムが実行されることで、通信端末（第１端末４１、第２端末４２、第３端末４３）それぞれについて、情報発信装置１０からの所定のデータなどを収集することが出来る。
【００６９】
記録プログラムでダウンロードされた所定のデータは、情報発信装置１０から送信される前の元のデータと比較分析される。
【００７０】
複数の通信端末（第１端末４１、第２端末４２、第３端末４３）から情報発信装置１０へのアクセスは、同時に行われるので、時間的に同じ条件で品質測定結果を得ることが出来る。
【００７１】
なお、所定領域に入ったと判断した場合に、音声情報の発信動作やデータの送信動作が開始される（発呼やアクセスの時期が決定される）形態に代えて、若しくはこれと組み合わせて、電力供給装置３０を搭載した車両の移動速度が閾値以上の場合若しくは閾値以下の場合に、すなわち、車両の位置情報と速度情報の少なくとも一方に基づいて、音声情報の発信動作やデータの送信動作が開始される（発呼やアクセスの時期が決定される）形態であってもよい。
【００７２】
例えば、所定の領域であって、閾値以上の速度で走行中である場合に、所定の音声情報の発信動作を行い、走行中における通話品質などを測定する形態などが考えられる。
【００７３】
この場合、所望の移動状態における品質測定結果を得ることが可能になる。
【符号の説明】
【００７４】
１  通信品質測定システム
１０  情報発信装置
３０  電力供給装置
４１〜４３  第１端末〜第３端末
５０  サーバー
【図１】
2016025402.tif 000003
【図２】
2016025402.tif 000004
【図３】
2016025402.tif 000005
【図４】
2016025402.tif 000006
【図５】
2016025402.tif 000007
【図６】
2016025402.tif 000008